【手続補正書】
【提出日】平成27年9月28日(2015.9.28)
【手続補正１】
【補正対象書類名】明細書
【補正対象項目名】発明の名称
【補正方法】変更
【補正の内容】
【発明の名称】画像処理装置、その制御方法、および制御プログラム、並びに記録媒体
【手続補正２】
【補正対象書類名】明細書
【補正対象項目名】０００１
【補正方法】変更
【補正の内容】
【０００１】
本発明は、複数の画像を一枚の用紙にレイアウトする画像処理装置、その制御方法、および制御プログラム、並びに記録媒体に関し、特に、画像のレイアウトを自動的に判別して、さらに、特定の画像を大きくレイアウトする画像処理装置に関する。
【手続補正３】
【補正対象書類名】明細書
【補正対象項目名】０００８
【補正方法】変更
【補正の内容】
【０００８】
従って、本発明の目的は、一枚の用紙に複数の画像を配置する際、画像の一部が削除されてしまうことのない画像処理装置、その制御方法、および制御プログラム、並びに記録媒体を提供することにある。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
上記の目的を達成するため、本発明による画像処理装置は、複数のページに画像をレイアウトする画像処理装置であって、複数の画像を自動的にレイアウトする際、レイアウト対象の複数の画像を２以上の複数のブロックに分割し、前記ブロック毎に、当該ブロックに含まれる画像のコマを配置するための矩形を生成し、当該生成した矩形のうちの複数の矩形を結合して新たな矩形を生成していくことによって、前記複数のブロックからなる矩形であって前記複数の画像のコマが配置される矩形を生成して前記複数の画像のコマの配置を決定して画像のレイアウトを行い、当該レイアウトされた画像を前記複数のページのうちの所定のページに配置する第１のレイアウト手段を有することを特徴とする。
【手続補正６】
【補正対象書類名】明細書
【補正対象項目名】００１１
【補正方法】変更
【補正の内容】
【００１１】
本発明による制御方法は、複数のページに画像をレイアウトする画像処理装置の制御方法であって、複数の画像を自動的にレイアウトする際、レイアウト対象の複数の画像を２以上の複数のブロックに分割し、前記ブロック毎に、当該ブロックに含まれる画像のコマを配置するための矩形を生成し、当該生成した矩形のうちの複数の矩形を結合して新たな矩形を生成していくことによって、前記複数のブロックからなる矩形であって前記複数の画像のコマが配置される矩形を生成して前記複数の画像のコマの配置を決定して画像のレイアウトを行い、当該レイアウトされた画像を前記複数のページのうちの所定のページに配置するレイアウトステップを有することを特徴とする。
【手続補正７】
【補正対象書類名】明細書
【補正対象項目名】００１２
【補正方法】変更
【補正の内容】
【００１２】
本発明による制御プログラムは、複数のページに画像をレイアウトする画像処理装置で用いられる制御プログラムであって、前記画像処理装置が備えるコンピュータに、複数の画像を自動的にレイアウトする際、レイアウト対象の複数の画像を２以上の複数のブロックに分割し、前記ブロック毎に、当該ブロックに含まれる画像のコマを配置するための矩形を生成し、当該生成した矩形のうちの複数の矩形を結合して新たな矩形を生成していくことによって、前記複数のブロックからなる矩形であって前記複数の画像のコマが配置される矩形を生成して前記複数の画像のコマの配置を決定して画像のレイアウトを行い、当該レイアウトされた画像を前記複数のページのうちの所定のページに配置するレイアウトステップを実行させることを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
【図１】本発明の第１の実施形態による画像処理装置の一例についてその構成を示すブロック図である。
【図２】図１に示す画像処理装置で行われる印刷処理を説明するためのフローチャートである。
【図３】図２に示すコマ配置計算を説明するためのフローチャートである。
【図４】図３で説明したコマの基準サイズについてさらに説明するための図であり、（ａ）は基準サイズの幅と画像の幅とが等しくかつ基準サイズの高さと画像の高さとが等しい画像の一例を示す図、（ｂ）は基準サイズの幅と画像の高さとが等しくかつ基準サイズの高さと画像の幅とが等しい画像の一例を示す図、（ｃ）はユーザによるトリミング設定が行われた際の画像の一例を示す図である。
【図５】図３に示す用紙レイアウトに合わせて主矩形をリサイズする処理を説明するための図であり、（ａ）は矩形の幅÷矩形の高さ≦用紙レイアウトの幅÷用紙レイアウトの高さである際の調整を示す図、（ｂ）は矩形の幅÷矩形の高さ＞用紙レイアウトの幅÷用紙レイアウトの高さである際の調整を示す図である。
【図６】複数の矩形をそのアスペクト比を崩さないように結合して新しい矩形を生成する手法の一例を説明するための図である。
【図７】複数の矩形をそのアスペクト比を崩さないように結合して新しい矩形を生成する手法の他の例を説明するための図である。
【図８】図３に示す０次の主矩形の生成を説明するためのフローチャートである。
【図９】図８に示す副矩形の生成を説明するためのフローチャートである。
【図１０】図１に示す画像処理装置によって実行される印刷の際の自動レイアウトの一例を示す図である。
【図１１】従来のフォトアルバムレイアウトの生成の一例を説明するためのフローチャートである。
【図１２】図１１で決定されたレイアウトの一例を示す図である。
【図１３】図１１で説明したフォトアルバムレイアウト生成に応じて作成されたフォトアルバムレイアウトの一例を示す図であり、（ａ）は表紙を示す図、（ｂ）〜（ｆ）はそれぞれフォトアルバムの内容を示す図である。
【図１４】本発明の第２の実施形態による画像処理装置で行われるフォトアルバムレイアウトの生成を説明するためのフローチャートである。
【図１５】図１４で説明したフォトアルバムレイアウト生成に応じて作成されたフォトアルバムレイアウトの一例を示す図であり、（ａ）は表紙を示す図、（ｂ）〜（ｆ）はそれぞれフォトアルバムの内容を示す図である。
【図１６】図１５（ａ）に示す表紙を拡大して示す図である。
【手続補正１１】
【補正対象書類名】明細書
【補正対象項目名】００１７
【補正方法】変更
【補正の内容】
【００１７】
以下、本発明の実施の形態による画像処理装置の一例について図面を参照して説明する。
【手続補正１２】
【補正対象書類名】明細書
【補正対象項目名】００８５
【補正方法】変更
【補正の内容】
【００８５】
［第２の実施形態］
続いて、本発明の第２の実施形態による画像形成装置の一例について説明する。
【手続補正１３】
【補正対象書類名】明細書
【補正対象項目名】００８６
【補正方法】変更
【補正の内容】
【００８６】
なお、第２の実施形態による画像形成装置の構成は、図１に示す画像処理装置と同様である。
【手続補正１４】
【補正対象書類名】明細書
【補正対象項目名】０１０６
【補正方法】削除
【補正の内容】
【手続補正１５】
【補正対象書類名】明細書
【補正対象項目名】０１０９
【補正方法】削除
【補正の内容】
【手続補正１６】
【補正対象書類名】特許請求の範囲
【補正対象項目名】全文
【補正方法】変更
【補正の内容】
【特許請求の範囲】
【請求項１】
複数のページに画像をレイアウトする画像処理装置であって、
複数の画像を自動的にレイアウトする際、レイアウト対象の複数の画像を２以上の複数のブロックに分割し、前記ブロック毎に、当該ブロックに含まれる画像のコマを配置するための矩形を生成し、当該生成した矩形のうちの複数の矩形を結合して新たな矩形を生成していくことによって、前記複数のブロックからなる矩形であって前記複数の画像のコマが配置される矩形を生成して前記複数の画像のコマの配置を決定して画像のレイアウトを行い、当該レイアウトされた画像を前記複数のページのうちの所定のページに配置する第１のレイアウト手段を有することを特徴とする画像処理装置。
【請求項２】
前記第１のレイアウト手段は、前記複数の画像の縦横比を保った状態で、画像のコマを配置するための矩形を生成することを特徴とする請求項１に記載の画像処理装置。
【請求項３】
前記複数のページにレイアウトする画像を選択する選択手段と、
前記選択手段によって選択された画像を、前記所定のページとは異なる複数のページに配置する第２のレイアウト手段とを有し、
前記第１のレイアウト手段は、前記第２のレイアウト手段によって前記所定のページとは異なる複数のページに配置される複数の画像を用いてレイアウトを行って、前記所定のページに配置することを特徴とする請求項１に記載の画像処理装置。
【請求項４】
前記第１のレイアウト手段は、フォトアルバム作成のために、複数のページに画像をレイアウトする際、表紙を前記所定のページとして前記レイアウトした画像を配置することを特徴とする請求項１に記載の画像処理装置。
【請求項５】
ページ数を指定するページ数指定手段を有し、
前記第２のレイアウト手段は、前記選択手段によって選択された画像を、前記ページ数指定手段によって指定されたページ数に基づいて複数のページに分割してレイアウトすることを特徴とする請求項３に記載の画像処理装置。
【請求項６】
複数のページに画像をレイアウトする画像処理装置の制御方法であって、
複数の画像を自動的にレイアウトする際、レイアウト対象の複数の画像を２以上の複数のブロックに分割し、前記ブロック毎に、当該ブロックに含まれる画像のコマを配置するための矩形を生成し、当該生成した矩形のうちの複数の矩形を結合して新たな矩形を生成していくことによって、前記複数のブロックからなる矩形であって前記複数の画像のコマが配置される矩形を生成して前記複数の画像のコマの配置を決定して画像のレイアウトを行い、当該レイアウトされた画像を前記複数のページのうちの所定のページに配置するレイアウトステップを有することを特徴とする制御方法。
【請求項７】
複数のページに画像をレイアウトする画像処理装置で用いられる制御プログラムであって、
前記画像処理装置が備えるコンピュータに、
複数の画像を自動的にレイアウトする際、レイアウト対象の複数の画像を２以上の複数のブロックに分割し、前記ブロック毎に、当該ブロックに含まれる画像のコマを配置するための矩形を生成し、当該生成した矩形のうちの複数の矩形を結合して新たな矩形を生成していくことによって、前記複数のブロックからなる矩形であって前記複数の画像のコマが配置される矩形を生成して前記複数の画像のコマの配置を決定して画像のレイアウトを行い、当該レイアウトされた画像を前記複数のページのうちの所定のページに配置するレイアウトステップを実行させることを特徴とする制御プログラム。
【請求項８】
請求項７に記載の制御プログラムが記録されたコンピュータに読み取り可能な記録媒体。